(57)【要約】【課題】  部品点数を削減するとともに構造を簡素化する。【解決手段】  押え板５６に紙幣１２Ａが厚み方向に積層され、押え板５６は円すいコイルばね７１によって紙幣１２Ａ側に付勢され、紙幣１２Ａは爪車５７Ａ，５７Ｂと押え板５６とによって挟持されている。爪車５７Ａ，５７Ｂはモータ７５の駆動によって、円すいコイルばね７１の付勢方向である矢印Ｅ方向と対向する方向に回転する。爪車５７Ａ，５７Ｂの爪５７ａ，５７ｂは、爪車５７Ａ，５７Ｂの回転によって紙幣収納空間７２に進退し、紙幣１２Ａに係合および係合が解除される。したがって、収納される紙幣１２Ｂは、爪５７ａによって紙幣１２Ａ側に押し込まれ、爪５７ａと押え板５６とで紙幣１２Ａと共に挟持された状態で収納される。【選択図】  図７
2006065465.tif 000002
【特許請求の範囲】
【請求項１】
紙幣が厚み方向に積層される押え板と、この押え板を積層された紙幣側に付勢する付勢手段と、前記押え板に積層された紙幣に係合し押え板と共に積層された紙幣を厚み方向に挟持する紙幣挟持手段とを備えた紙幣収納装置において、
前記紙幣挟持手段は、前記押え板の互いに対向する両端側に設けられた互いに平行な一対の駆動軸と、これら駆動軸に設けられ紙幣に選択的に係合する係合部を有する回転体と、これら回転体を前記付勢手段の付勢方向と対向するように回転させるモータとによって構成したことを特徴とする紙幣収納装置。
【請求項２】
請求項１記載の紙幣収納装置において、
前記係合部を回転体の回転方向に互いに１８０°ずらした位置に一対設けたことを特徴とする紙幣収納装置。
【請求項３】
請求項１または２記載の紙幣収納装置において、
前記モータを一つとし、このモータの駆動を前記一対の駆動軸に互いの回転方向が反対方向となるように伝達する駆動伝達手段を設けたことを特徴とする紙幣収納装置。
【発明の詳細な説明】
【技術分野】
【０００１】
本発明は、自動販売機やパチンコの遊技台用台間機等に設けられる紙幣処理装置に適用される紙幣収納装置に関するものである。
【背景技術】
【０００２】
従来の紙幣収納装置は、紙幣挿入口に連通する紙幣通路と、この紙幣通路に隣接して設けられた紙幣収納部と、この紙幣収納部に収納された紙幣を紙幣通路側に付勢する押え板と、前記紙幣通路上の紙幣を押圧して紙幣収納部へ移動させるガイド板と、このガイド板と同じ方向に移動して紙幣の端部を保持する一時保持部材と、前記紙幣収納部に収納された紙幣を押え板と共に挟持する札受けとを備えている。そして、この札受けは前記ガイド板によって紙幣が紙幣収納部へ移動するときに紙幣収納部から退避し、紙幣の移動が終了すると紙幣収納部へ進出する（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】特開２００１−３５７４３２号公報（段落「００１５」〜「００１７、図１ないし図７）
【発明の開示】
【発明が解決しようとする課題】
【０００３】
上述した従来の紙幣収納装置においては、紙幣通路上の紙幣を押圧して紙幣収納部へ移動させる機構および紙幣収納部に収納された紙幣を押え板と共に挟持する機構ならびに紙幣の端部を一時的に保持する機構をそれぞれガイド板および札受けならびに一時保持部材とで分担して行う構造であるため、部材が増えるというばかりではなく、これらを駆動する駆動系が必要になるから構造も複雑になるという問題があった。
【０００４】
本発明は上記した従来の問題に鑑みなされたものであり、その目的とするところは、部品点数を削減するとともに構造を簡素化することにある。
【課題を解決するための手段】
【０００５】
この目的を達成するために、請求項１に係る発明は、紙幣が厚み方向に積層される押え板と、この押え板を積層された紙幣側に付勢する付勢手段と、前記押え板に積層された紙幣に係合し押え板と共に積層された紙幣を厚み方向に挟持する紙幣挟持手段とを備えた紙幣収納装置において、前記紙幣挟持手段は、前記押え板の互いに対向する両端側に設けられた互いに平行な一対の駆動軸と、これら駆動軸に設けられ紙幣に選択的に係合する係合部を有する回転体と、これら回転体を前記付勢手段の付勢方向と対向するように回転させるモータとによって構成したものである。
【０００６】
請求項２に係る発明は、請求項１に係る発明において、前記係合部を回転体の回転方向に互いに１８０°ずらした位置に一対設けたものである。
【０００７】
請求項３に係る発明は、請求項１または２に係る発明において、前記モータを一つとし、このモータの駆動を前記一対の駆動軸に互いの回転方向が反対方向となるように伝達する駆動伝達手段を設けたものである。
【発明の効果】
【０００８】
請求項１に係る発明によれば、回転体が押え板と共に紙幣を挟持する機能と、これから収納する紙幣を既に収納されている紙幣側に押し込む機能とを兼ね備えているため、従来２部材必要であったものが１部材で済むから、部品点数が削減されるというばかりではなく、これらを駆動する部材も必要がないため構造が簡素化される。
【０００９】
請求項２に係る発明によれば、回転体にそれぞれ一対の係合部を設けたことにより、一つの係合部の場合と比較して回転体の回転速度を遅くすることができるため、係合部によって紙幣の端縁を誤って折り曲げてしまうことを防止することができる。また、一つの係合部の場合と比較して回転体の回転量を半分に減らすことができるため、モータや軸受等の耐久性を向上させることもできる。
【００１０】
請求項３に係る発明によれば、一つのモータによって、一対の回転体を駆動するようにしたことにより、これら回転体のそれぞれの係合部間が互いにずれることなく同期して動作するため、これら係合部による紙幣の収納を円滑に行うことができる。また、部品点数が削減され製造コストの低減を図ることができる。
【発明を実施するための最良の形態】
【００１１】
以下、本発明の実施の形態を図に基づいて説明する。図１は本発明に係る紙幣収納装置が内蔵された遊技台用台間機の外観を示し、同図（Ａ）は側面図、同図（Ｂ）は正面図、図２は同じく紙幣処理装置の正面図、図３は同じく紙幣処理装置の側面図、図４は図３におけるIV-IV 線断面図、図５は図３におけるV-V 線断面図、図６は図３におけるVI矢視図、図７は同じく紙幣の収納動作を説明するための図３におけるVII-VII 線断面図であって、同図（Ａ）は収納される紙幣が紙幣収納装置に搬送された状態を示し、同図（Ｂ）は既に収納されている紙幣と収納される紙幣とを重ね合わせた状態を示し、図８は同じく紙幣の収納動作を説明するための図３におけるVII-VII 線断面図であって、同図（Ａ）は収納される紙幣が押し下げられる状態を示し、同図（Ｂ）は紙幣が紙幣収納装置に収納された状態を示し、図９は同じく紙幣収納装置のカバーを取り外した状態を示す外観斜視図、図１０は同じく収納ユニットの外観斜視図である。
【００１２】
図１に全体を符号１で示す遊技台用台間機は、パチンコ台のような遊技台と隣接する他の遊技台との間に設置される機器であって、上下方向に細長い扁平な直方体状に形成されており、後述する紙幣処理装置１０と、遊技媒体の貸し出しを可能にする金額情報が書き込まれたカードを処理するカード処理装置とが内蔵されている。同図（Ｂ）において、２はこの台間機１の使用が可能か否かを表示するランプ、３は紙幣を挿入するスリット状に形成された紙幣挿入口、４は紙幣処理装置１０から紙幣を取り出すときに解錠して開く紙幣取り出し扉、５はカード処理装置で処理されるカードを挿入するためのカード挿入口である。紙幣挿入口３は短辺側を上下方向とした状態の紙幣が挿入されるように上下方向に延在している。
【００１３】
紙幣処理装置１０の前部には、図２に示すように、上記した遊技台用台間機１の紙幣挿入口３から挿入された紙幣が挿入される紙幣挿入口１１が設けられており、この紙幣挿入口１１は紙幣挿入口３と同様に紙幣が短辺側を上下方向とした状態で挿入される。また、この紙幣挿入口１１の下方であって上記した遊技台用台間機１の紙幣取り出し扉４に対応した部位には、後述する紙幣収納装置１６に収納された紙幣１２を取り出すための紙幣取り出し口１３が設けられている。この紙幣処理装置１０は、図３に示すように、紙幣挿入口１１から挿入された紙幣の真贋を識別する紙幣識別装置１５と、この紙幣識別装置１５において真札と識別された紙幣が搬送され厚み方向に積層された状態で収納される紙幣収納装置１６とによって構成され、紙幣収納装置１６が紙幣識別装置１５の下側に設けられている。
【００１４】
紙幣識別装置１５はケース１９を備えており、この紙幣識別装置１５には紙幣挿入口１１に連通し矢印Ａ−Ｂ方向に延在する紙幣搬送路２０が設けられており、この紙幣搬送路２０には紙幣挿入口１１に挿入された紙幣を矢印Ａ方向に搬送し紙幣の真贋を識別する紙幣識別部（図示せず）に搬送する第１の搬送手段２１が備えられている。この第１の搬送手段２１は、第１のモータ２２を駆動源として走行し矢印Ａ−Ｂ方向に延在する一対の第１の搬送ベルト２３，２３と、これら第１の搬送ベルト２３，２３に対接する複数のピンチローラ２４とを備えている。
【００１５】
すなわち、第１のモータ２２の駆動は、ウォームおよびウォームホイールを介して駆動軸２５に伝達され、この駆動軸２５の回転は、駆動軸２５に軸着された駆動ローラ２６，２６と従動ローラ２７，２７との間に張架された第１の駆動ベルト２３，２３を走行させる。この第１の駆動ベルト２３に対接するピンチローラ２４は、図４に示すように軸２８に回転自在に支持されており、この軸２８がソレノイド（図示せず）の駆動によって移動することにより、ピンチローラ２４は第１の駆動ベルト２３から離間する。
【００１６】
図３において、３０は第１の搬送手段２１の下方に設けられた第２の搬送手段であって、第２のモータ３１を駆動源として矢印Ａ−Ｂ方向と直交する矢印Ｃ−Ｄ方向に共に延在する第２および第３の搬送ベルト３２，３３とを備えている。すなわち、第２のモータ３１の駆動は、ウォームおよびウォームホイールを介して駆動軸３５に伝達され、この駆動軸３５に軸着された駆動プーリ３６と従動プーリ３７との間に第２の駆動ベルト３２が張架されている。
【００１７】
この第２の駆動ベルト３２に対接するピンチローラ３４ａ，３４ｂのうち、ピンチローラ３４ａは、図４に示すように軸３８に一端部が回動自在に支持されたレバー３９の他端部に軸支されており、上述したピンチローラ２４が第１の駆動ベルト２３から離間するのに同期して、第２の駆動ベルト３２に対接するように構成されている。このピンチローラ３４ａは、上述した第１の搬送手段２１によって識別手段まで搬送された紙幣を第２の搬送ベルト３２とともに挟持可能な位置に設けられている。
【００１８】
駆動軸３５の回転は、駆動軸３５に軸着されたプーリと軸４１に軸着されたプーリ間に張架された伝達ベルト４０を介して軸４１に伝達されており、この軸４１にはプーリ４２が軸着されている。４３は後述する紙幣収納ユニット４６の回転軸８５に回転自在に支持されたプーリであって、このプーリ４３とプーリ４２との間に第３の駆動ベルト３３が張架されている。４４はカバー４７に回転自在に支持されたピンチローラであって、このピンチローラ４４は第３の駆動ベルト３３に対接している。
【００１９】
このように構成されていることにより、紙幣挿入口１１から紙幣が挿入され、図示を省略したセンサによって紙幣が検知されると、第１のモータ２２が駆動する。したがって、挿入された紙幣は駆動ベルト２３とピンチローラ２４とによって厚み方向に挟持され、紙幣挿入口１１に挿入された状態の姿勢を保持されたまま矢印Ａ方向に搬送され、識別手段によって真贋が識別される。
【００２０】
識別手段によって紙幣が真札であると識別されると、ピンチローラ２４が第１の駆動ベルト２３から離間するとともに、ピンチローラ３４ａが第２の駆動ベルト３２に対接し、第２のモータ３１が駆動する。したがって、紙幣はピンチローラ３４ａと第２の駆動ベルト３２とによって厚み方向に挟持され、下方（矢印Ｃ方向）に搬送され、さらに第３の駆動ベルト３３とピンチローラ４４とによって紙幣収納装置１６へ搬送される。
【００２１】
次に、図３ないし図１０を用いて、紙幣収納装置１６について説明する。紙幣収納装置１６は、図４に示すように紙幣識別装置１５のケース１９に固定されたケース４５と、このケース４５に矢印Ａ−Ｂ方向に移動自在に支持された紙幣収納ユニット４６と、ケース４５に取り付けられ紙幣収納ユニット４６を覆うカバー４７とから概略構成されている。カバー４７の内面には、図５および図６に示すように矢印Ｃ−Ｄ方向に延在する複数条のリブ４７ａが一体に突設されている。
【００２２】
ケース４５は、図９に示すように紙幣識別装置１５側の矢印Ｄ方向が開口し、紙幣識別装置１５において真札と識別され第２の搬送手段３０によって搬送される紙幣が紙幣収納装置１６に導入される導入口５０を形成している。また、このケース４５は矢印Ｂ方向、すなわち、上述した遊技台用台間機１の紙幣取り出し扉４側が開口し、紙幣収納装置１６の紙幣収納ユニット４６の矢印Ｂ方向への移動によりこの紙幣収納ユニット４６の一部がこのケース４５から露呈する露呈口５１を形成している。また、ケース４５の側面部５２には、図３に示すように紙幣収納ユニット４６を矢印Ａ−Ｂ方向に移動自在に支持する４個のガイド部５３が設けられている。これらガイド部５３には矢印Ａ−Ｂ方向に延在するガイド溝５３ａが形成されており、このガイド溝５３ａの矢印Ｂ方向の端部にはストッパ５３ｂが設けられている。
【００２３】
紙幣収納ユニット４６は、図７に示すように紙幣を厚み方向に積層状態で収納するフレーム５５と、このフレーム５５に収納された紙幣を矢印Ｅ方向へ付勢する押え板５６と、この押え板５６と共に紙幣を挟持する紙幣挟持手段５４とによって概略構成されている。フレーム５５は、図１０に示すように、外形が紙幣よりもやや大きく形成された側面板６０と、この側面板６０の上下端部を互いに対向するように直角に折曲形成した上面板６１および下面板６２と、側面板６０の背面側を直角に折曲形成した背面板６３とによって形成されており矢印Ｅ方向が開放されている。
【００２４】
側面板６０の矢印Ｂ方向の端部には、中央部に半円形に形成された切欠き６４が設けられ、矢印Ｃ方向の端部に把持片６５が矢印Ｂ方向に突設されており、この側面板６０の矢印Ｃ−Ｄ方向の両端には、上述したガイド溝５３ａに係入される突片６６が、それぞれ矢印Ｃ方向と矢印Ｄ方向に向かって二対突設されている。上面板６１および下面板６２には、押え板５６を矢印Ｅ−Ｆ方向に移動自在に支持する二対の長方形のガイド窓６７が設けられており、上面板６１および下面板６２の矢印Ｂ方向の端部は、背面板６３に対向する折曲部６８，６９がそれぞれ折曲形成されている。
【００２５】
押え板５６の矢印Ｃ−Ｄ方向の両端には、図７に示すようにフレーム５５のガイド窓６７に係入する突片７０，７０が設けられており、これら突片７０がガイド窓６７に係入されていることにより、押え板５６はフレーム５５の側面板６０に対向した状態で矢印Ｅ−Ｆ方向に移動自在に支持される。この押え板５６と側面板６０との間には、円すいコイルばね７１が弾装されており、この円すいコイルばね７１の付勢力によって押え板５６は矢印Ｅ方向へ付勢されている。この押え板５６とフレーム５５とによって紙幣を収納する収納収納空間７２が形成されている。押え板５６の矢印Ｂ方向の端部には、図９に示すように、上述した側面板６０の切欠き６４と同一寸法に形成された切欠き７３が設けられている。
【００２６】
次に、図５ないし図１０を用いて、紙幣挟持手段５４について説明する。紙幣挟持手段５４は、図９に示すように、押え板５６の上下両端側に設けられ互いに平行な一対の駆動軸７８，８５と、これら駆動軸７８，８５に軸着され紙幣に選択的に係合する回転体としての爪車５７Ａ，５７Ｂと、これら爪車５７Ａ，５７Ｂを上述した円すいコイルばね７１の付勢方向である矢印Ｅ方向と対向するように回転させる第３のモータ７５とによって構成されている。
【００２７】
第３のモータ７５は、図９に示すように、フレーム５５の背面板６３に取り付けられており、この第３のモータ７５の出力軸に軸着されたモータギア７６には、図６に示すように背面板６３に回転自在に支持されたギア７７が噛合している。背面板６３と折曲部６９との間には、図１０に示すように駆動軸７８が回転自在に支持されており、図６に示すように、この駆動軸７８の一端部に軸着されたギア７９がギア７７と噛合しており、この駆動軸７８の背面板６３と折曲部６９との間の部位には３つの爪車５７Ａが軸着されている。
【００２８】
８０はギア７７と一体的に回転するプーリであって、背面板６３に回転自在に支持されたプーリ８１との間に回転伝達用のベルト８２が張架されており、プーリ８１と一体的に回転するギア８３が背面板６３に回転自在に支持された中間ギア８４に噛合している。駆動軸８５は、図１０に示すように背面板６３と折曲部６８との間に回転自在に支持されており、この駆動軸８５の一端部に軸着されたギア８６が中間ギア８４と噛合しており、この駆動軸８５には３つの爪車５７Ｂが上述した３つの爪車５７Ａのそれぞれと対向するように軸着されている。これら三対の爪車５７Ａ，５７Ｂは、図５に示すように、回転するときに爪車５７Ａ，５７Ｂの後述する係合部としての爪５７ａ，５７ｂがカバー４７のリブ４７ａに接触しないように、リブ４７ａ，４７ａ間に位置付けられている。
【００２９】
このような構成において、第３のモータ７５が駆動すると、出力軸の回転はモータギア７６、ギア７７、ギア７９を介して回転軸７８に伝達され、爪車５７Ａが図７中反時計方向、すなわち円すいコイルばね７１の付勢方向である矢印Ｅ方向と対向するように回転する。また、第３のモータ７５の出力軸の回転は、プーリ８０、ベルト８２、プーリ８１、ギア８３、中間ギア８４、ギア８６を介して回転軸８５に伝達され、爪車５７Ｂが図７中時計方向、すなわち円すいコイルばね７１の付勢方向である矢印Ｅ方向と対向するように回転する。
【００３０】
これら爪車５７Ａ，５７Ｂの周部には、円周方向に互いに１８０°位相がずれた位置に一対の爪５７ａ，５７ｂが互いに反対方向に向かって一体に突設されている。これら爪車５７Ａ，５７Ｂは回転することにより、爪５７ａ，５７ｂがフレーム５５の上面板６１と下面板６２の切欠きから紙幣収納空間７２内に進出して押え板５６に積層された紙幣に係合するとともに、紙幣収納空間７２から退出して係合が解除されるように構成されている。
【００３１】
すなわち、これら爪車５７Ａ，５７Ｂは回転することにより、一方の爪５７ａが押え板５６に積層された紙幣の表面に係合し、この紙幣を介して押え板５６を円すいコイルばね７１の付勢力に抗して矢印Ｆ方向へ押圧する。さらに、爪車５７Ａ，５７Ｂが回転することにより、爪５７ａの押え板５６に積層された紙幣との係合が解除され、押え板５６が円すいコイルばね７１の付勢力によって矢印Ｅ方向に移動する。
【００３２】
次に、図７および図８を用いて、このように構成された紙幣収納装置１６における紙幣の収納動作を説明する。図７（Ａ）に示すように、爪車５７Ａ，５７Ｂの爪５７ａ，５７ａが紙幣収納空間７２内に進出しており、これら爪車５７Ａ，５７Ｂの爪５７ａ，５７ａが押え板５６に積層されている紙幣１２Ａの両側端部の表面に係合している。したがって、これら爪車５７Ａ，５７Ｂの爪５７ａ，５７ａと矢印Ｅ方向へ付勢された押え板５６とによって紙幣１２Ａが挟持され紙幣収納空間７２内に収納されている。この状態で、紙幣識別装置１５において真札と識別され、第２の搬送手段３０によって紙幣収納装置１６の紙幣収納空間７２内にこれから収納される紙幣１２Ｂが搬送されてくると、第３のモータ７５が駆動を開始する。また、紙幣収納空間７２内に搬送されてきた紙幣１２Ｂは、爪車５７Ａ，５７Ｂの爪５７ａ，５７ａとカバー４７のリブ４７ａとの間に位置する。
【００３３】
第３のモータ７５が駆動すると、爪車５７Ａが反時計方向に回動するとともに、爪車５７Ｂが時計方向に回動し、同図（Ｂ）に示すように爪車５７Ａの爪５７ａと爪車５７Ｂの爪５７ａが紙幣収納空間７２から退出するので、これら爪５７ａと押え板５６に積層されている紙幣１２Ａとの係合が解除される。したがって、押え板５６が円すいコイルばね７１の付勢力によって矢印Ｅ方向に移動するから、既に押え板５６に積層されている紙幣１２Ａと、紙幣識別装置１５から搬送されてきたこれから収納される紙幣１２Ｂとが重ね合わされ、これら紙幣１２Ａ，１２Ｂがカバー４７のリブ４７ａと押え板５６とによって挟持される。
【００３４】
さらに、爪車５７Ａ，５７Ｂが回動することにより、図８（Ａ）に示すように、これら爪車５７Ａ，５７Ｂの他方の爪５７ｂ，５７ｂが紙幣収納空間７２内に進出するため、これら爪５７ｂが紙幣１２Ｂの表面に係合する。したがって、爪５７ｂによって紙幣１２Ｂが矢印Ｆ方向へ押し込まれ、これら紙幣１２Ｂ，１２Ａを介して押え板５６を円すいコイルばね７１の付勢力に抗して矢印Ｆ方向へ押圧する。さらに、爪車５７Ａ，５７Ｂが回動することにより、同図（Ｂ）に示すように、これら爪車５７Ａ，５７Ｂの爪５７ｂ，５７ｂと矢印Ｅ方向へ付勢された押え板５６とによって紙幣１２Ｂ，１２Ａが挟持された状態で、紙幣１２Ｂは紙幣収納空間７２内に収納される。
【００３５】
このように、爪車５７Ａ，５７Ｂの爪５７ａ，５７ｂが円すいコイルばね７１の付勢力に抗して押え板５６を矢印Ｆ方向に移動させ、押え板５６と共に紙幣を挟持する機能と、これから収納する紙幣１２Ｂを既に収納されている紙幣１２Ａ側に押し込む機能とを兼ね備えている。このため、従来２部材必要であったものが１部材で済むから、部品点数が削減されるというばかりではなく、これらを駆動する部材も必要がないため構造が簡素化される。また、これから積層する紙幣１２Ｂを既に積層された紙幣１２Ａと重ね合わせてから、爪車５７Ａ，５７Ｂの爪５７ａ，５７ｂによって、押え板５６側に押し込むようにしたので、重ね合わせるときに紙幣１２Ｂの端縁の折れ癖を矯正することができる。
【００３６】
また、一つの第３のモータ７５によって、紙幣収納ユニット４６の上面板６１側に設けた爪車５７Ａと下面板６２側に設けた爪車５７Ｂとを駆動するようにしたことにより、爪車５７Ａの爪５７ａ，５７ｂと爪車５７Ｂの爪５７ａ，５７ｂとが互いにずれることなく同期して動作するため、これら爪５７ａ，５７ｂによる紙幣の収納を円滑に行うことができる。また、駆動源であるモータが一つになるため、部品点数が削減され製造コストの低減を図ることができる。また、爪車５７Ａ，５７Ｂにそれぞれ一対の爪５７ａ，５７ｂを設けたことにより、爪を一つしか設けない場合と比較して爪車５７Ａ，５７Ｂの回転速度を遅くすることができるため、爪５７ａ，５７ｂによって紙幣の端縁を誤って折り曲げるのを防止することができる。また、爪を一つしか設けない場合と比較して爪車５７Ａ，５７Ｂの回転量を半分に減らすことができるため、モータや軸受等の耐久性を向上させることもできる。
【００３７】
次に、このように紙幣収納装置１６の紙幣収納ユニット４６に収納された紙幣１２を取り出す場合には、図１において、紙幣取り出し扉４を解錠して開き、指を遊技台用台間機１内に差し入れ、紙幣収納ユニット４６の把持片６５を把持し、図３に示すように、収納ユニット４６を矢印Ｂ方向に移動させ、収納ユニット４６の前部側を遊技台用台間機１の外部に露呈する。この状態で、収納ユニット４６に収納されている紙幣の一部も外部に露呈させるため、収納ユニット４６の切欠き６４に指を差し入れ、紙幣１２の一端部を把持し矢印Ｂ方向に引く抜くことにより、紙幣１２を収納ユニット４６から取り出すことができる。
【００３８】
このように、紙幣１２を取り出すのに収納ユニット４６を矢印Ｂ方向へわずかに移動させ、収納ユニット４６の前部側を遊技台用台間機１の外部に露呈させることにより行えることにより、遊技台用台間機１の前部側に充分な取り出しスペースが確保することができなくても、容易に取り出すことができる。なお、本実施の形態においては、紙幣収納装置１６の前部に紙幣取り出し口１３が開口しているため、収納ユニット４６を矢印Ｂ方向に移動することなく、この紙幣取り出し口１３に指を差し入れ、切欠き６４において紙幣の一端部を把持し矢印Ｂ方向に引く抜くようにしてもよい。
【００３９】
なお、本実施の形態においては、紙幣収納ユニット４６の側面板６０の矢印Ｂ方向の端部に指を差し入れることができる切欠き６４を設けたが、側面板６０の矢印Ａ−Ｂ方向の長さを紙幣の長辺の長さよりも短く形成し、紙幣収納ユニット４６に収納された紙幣の一端部が側面板６０の矢印Ｂ方向の一端から突出するようにすれば、この紙幣の突出端部を指で把持して紙幣を紙幣取り出し口１２から取り出すことができるため、必ずしも切欠き６４を設ける必要はない。また、紙幣収納装置１６を紙幣識別装置１５の下方に設けたが、第２の搬送手段３０を第１の搬送手段２１の上方に設けることにより、紙幣収納装置１６を紙幣識別装置１５の上方に設けることもできる。このように、紙幣収納装置１６と紙幣識別装置１５との上下方向の配置位置を選択することができることにより、紙幣挿入口１１の上下方向の位置を選択することができるため利用者の使い勝手が向上する。また、爪車５７Ａ，５７Ｂに一対の爪５７ａ，５７ｂを設けたが、爪５７ａ，５７ｂはどちらか一つでもよい。
【図面の簡単な説明】
【００４０】
【図１】本発明に係る紙幣収納装置が内蔵された遊技台用台間機の外観を示し、同図（Ａ）は側面図、同図（Ｂ）は正面図である。
【図２】本発明に係る紙幣収納装置が適用された紙幣処理装置の正面図である。
【図３】本発明に係る紙幣収納装置が適用された紙幣処理装置の側面図である。
【図４】図３におけるIV-IV 線断面図である。
【図５】図３におけるV-V 線断面図である。
【図６】図３におけるVI矢視図である。
【図７】本発明に係る紙幣処理装置において、紙幣の収納動作を説明するための図３におけるVII-VII 線断面図であって、同図（Ａ）は収納される紙幣が紙幣収納装置に搬送された状態を示し、同図（Ｂ）は既に収納されている紙幣と収納される紙幣とを重ね合わせた状態を示す。
【図８】本発明に係る紙幣処理装置において、紙幣の収納動作を説明するための図３におけるVII-VII 線断面図であって、同図（Ａ）は収納される紙幣が押し下げられる状態を示し、同図（Ｂ）は紙幣が紙幣収納装置に収納された状態を示す。
【図９】本発明に係る紙幣収納装置のカバーを取り外した状態を示す外観斜視図である。
【図１０】本発明に係る紙幣収納装置における収納ユニットの外観斜視図である。
【符号の説明】
【００４１】
１…遊技台用台間機、３…紙幣挿入口、１０…紙幣処理装置、１１…紙幣挿入口、１２…紙幣、１２Ａ…収納されている紙幣、１２Ｂ…収納する紙幣、１３…紙幣取り出し口、１５…紙幣識別装置、１６…紙幣収納装置、４６…紙幣収納ユニット、４７…カバー、４７ａ…リブ、５４…紙幣挟持手段、５６…押え板、５７Ａ，５７Ｂ…爪車（回転体）、５７ａ，５７ｂ…爪（係合部）、７１…円すいコイルばね、７２…紙幣収納空間、７５…第３のモータ。
【図１】
2006065465.tif 000003
【図２】
2006065465.tif 000004
【図３】
2006065465.tif 000005
【図４】
2006065465.tif 000006
【図５】
2006065465.tif 000007
【図６】
2006065465.tif 000008
【図７】
2006065465.tif 000009
【図８】
2006065465.tif 000010
【図９】
2006065465.tif 000011
【図１０】
2006065465.tif 000012